(57)【要約】【課題】画像形成装置本体から突出することなく、かつ手前側から容易に冊子の取り出しができるものとする。【解決手段】装置本体１の側面部のうち手前側面部１１２を奥側側面部１１１より内側に位置するものとして段差部１１０を形成し、手前側部分に冊子保持部材１２０を配置し、冊子保持部材１２０は、手前側面部１１２から突出配置される突出部１２１と、突出部１２１の先端から上側に向け立設配置される立設部側面１２２からなり、弾性を持つ素材で全体略Ｌ字形状に構成されている。【選択図】図６
2010260282.tif 000002
【特許請求の範囲】
【請求項１】
装置本体の側面部のうち手前側面部を奥側面部より内側に位置するものとし、この手前側側面部に冊子保持部材を配置したことを特徴とする画像形成装置。
【請求項２】
前記冊子保持部材は、側面部から突出配置される突出部と、この突出部の先端から上側に向け立設配置される立設部側面とで全体略Ｌ字形状に構成されていることを特徴とする請求項１に記載の画像形成装置。
【請求項３】
前記冊子保持部は、前記奥側面部より内側に配置されていることを特徴とする請求項１又は請求項２に記載の画像形成装置。
【請求項４】
前記冊子保持部は、装置本体の左側及び右側の少なくとも一方の側面部に配置されていることを特徴とする請求項１乃至請求項３のいずれかに記載の画像形成装置。
【請求項５】
前記冊子保持部は、弾性を持つ材質で形成されていることを特徴とする請求項１乃至請求項４のいずれかに記載の画像形成装置。
【発明の詳細な説明】
【技術分野】
【０００１】
本発明は画像形成装置に係り、特に冊子配置用の配置部を備えた画像形成装置に関する。
【背景技術】
【０００２】
画像形成装置等には取扱説明書など装置の使用時に参照する冊子等などが付属していることが多い。ここで冊子等には前記取扱説明書の他、ドライバソフトを格納したコンパクトディスク、保証書等が含まれる。このような冊子等は画像形成装置の使用場所で参照されることが多く、画像形成装置の近傍に配置することが望ましい。そのため画像形成装置本体に取扱説明書を配置するポケットなどを配置することが従来から行われている。
【０００３】
特許文献１には、凹み部と蓋部材とで、冊子用のポケット部材を筐体の側面などに取り付けたものが記載されている。
【０００４】
また特許文献２には、画像形成装置の側部に突設された複数の差し込み突起に係合する縁部を備え着脱自在な収納部材を備えたものが記載されている。
【発明の概要】
【発明が解決しようとする課題】
【０００５】
しかし上述した特許文献１及び特許文献２に記載のものは、ポケット部材が筐体から出っ張ってしまい、狭いスペースなどの設置する時に邪魔となったり、ポケット部材や収納部材が筐体から出っ張っていると、人の身体やものが当たったりポケットが破損する恐れがある。
【０００６】
そこで、本発明は、画像形成装置本体から突出することなく、かつ手前側から容易に冊子の取り出しができる収納部材を備えた画像形成装置を提供することである
【課題を解決するための手段】
【０００７】
請求項１の発明は、装置本体の側面部のうち手前側面部を奥側面部より内側に位置するものとし、この手前側側面部に冊子保持部材を配置したコを徒特徴とする画像形成装置である。
【０００８】
請求項２の発明は、請求項１に記載の画像形成装置において、前記冊子保持部材は、側面部から突出配置される突出部と、この突出部の先端から上側に向け立設配置される立設部側面とで全体略Ｌ字形状に構成されていることを特徴とする。
【０００９】
請求項３の発明は、請求項１又は請求項２に記載の画像形成装置において、前記冊子保持部は、前記奥側面部より内側に配置されていることを特徴とする。
【００１０】
請求項４の発明は、請求項１乃至請求項３のいずれかに記載の画像形成装置において、前記冊子保持部は、装置本体の左側及び右側の少なくとも一方の側面部に配置されていることを特徴とする。
【００１１】
請求項５の発明は、請求項１乃至請求項４のいずれかに記載の画像形成装置において、前記冊子保持部は、弾性を持つ材質で形成されていることを特徴とする。
【発明の効果】
【００１２】
本発明に係る画像形成装置によれば、冊子保持部材が画像形成装置本体から突出することないので画像形成装置の配置の自由度が増すと共に破損のおそれが無く、かつ冊子を容易に視認できると共に冊子を手前側から容易に取り出しができる。
【図面の簡単な説明】
【００１３】
【図１】実施例に係る画像形成装置の外観を示す斜視図である。
【図２】画像画形成装置の機構部の全体構成を説明する概略構成図である。
【図３】画像形成装置の機構部の要部平面説明図である。
【図４】実施例に係る画像形成装置における冊子保持部材の取付部を下方から見た斜視図である。
【図５】実施例に係る画像形成装置の斜視図である。
【図６】実施例に係る画像形成装置に冊子を配置した状態を示す斜視図である。
【発明を実施するための形態】
【００１４】
本発明では、画像形成装置の装置本体の側面部のうち手前側面部を奥側面部より内側に位置するものとして段部を形成し、この手前側面部に冊子保持部材を配置している。冊子保持部材は、弾性を持つ素材で前記手前側面部から突出配置される突出部と、この突出部の先端から上側に向け立設配置される立設部とで全体略Ｌ字形状に構成されている。そして、冊子保持部は、前記奥側面部より内側に配置され、冊子保持部は、装置本体の左側及び右側の少なくとも一方の側面部に配置されている。
【実施例】
【００１５】
以下実施例に係る画像形成装置であるインクジェット記録装置について説明する。図１は実施例に係る画像形成装置の外観を示す斜視図、図２は同機構部の全体構成を説明する概略構成図、図３は同機構部の要部平面説明図である。
【００１６】
実施例に係るインクジェット記録装置は、装置本体１と、装置本体１に装着した用紙を装填するための給紙トレイ２と、装置本体１に装着され画像が記録（形成）された用紙をストックするための排紙トレイ３とを備えている。さらに、装置本体１の前カバー４の一端部側には、前カバー４から前方側に突き出したカートリッジ装填部６を有し、このカートリッジ装填部６の上面に操作キーや表示器などの操作部７を配置している。カートリッジ装填部６には、液体補充手段としての液体保管用タンクであるメインタンク（以下、「インクカートリッジ」という。）１０が交換可能に装着され、また、開閉可能なインクカートリッジカバー８を有している。この装置本体１の内部には、キャリッジ１３等を備える印字機構が配置されている。
【００１７】
次に、この画像形成装置の機構部について図２及び図３を参照して説明する。なお、図２は同機構部の全体構成を説明する概略構成図、図３は同機構部の要部平面説明図である。図示しない左右の側板に横架したガイド部材であるガイドロッド１１とステー１２とでキャリッジ１３を主走査方向に摺動自在に保持し、図示しない主走査モータによって図３で矢示方向に移動走査する。このキャリッジ１３には、インクの液滴を吐出するためのインクジェットヘッドからなる記録ヘッド１４を複数のノズルを主走査方向と交叉する方向に配列し、インク滴吐出方向を下方に向けて装着している。
【００１８】
ここで、記録ヘッド１４としては、例えば、図２及び図３に示すように、イエロー（Ｙ）、マゼンタ（Ｍ）、シアン（Ｃ）、ブラック（Ｋ）の各色のインク滴を吐出する液滴吐出ヘッドである独立した４個の液体吐出ヘッド１４ｙ、１４ｍ、１４ｃ、１４ｋ（以下では「記録ヘッド１４」は色を区別しない場合の用語とする。）を用いているが、各色のインク滴を吐出する複数のノズル列を有する１又は複数のヘッドを用いる構成とすることもできる。なお、色の数及び配列順序はこれに限るものではない。
【００１９】
記録ヘッド１４を構成するインクジェットヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、インクを吐出するためのエネルギー発生手段として備えたものなどを使用できる。
【００２０】
また、キャリッジ１３には、記録ヘッド１４に各色のインクを供給するための各色の液体容器であるサブタンク１５を搭載している。このサブタンク１５にはインク供給チューブ１６を介して前述した各色のメインタンク（インクカートリッジ）１０からインクが補充供給される。ここで、メインタンク１０は、それぞれ各色に対応してシアン（Ｃ）、マゼンタ（Ｍ）、イエロー（Ｙ）、ブラック（Ｋ）の各色のインクを収容している。また、サブタンク１５には内部に収容しているインク（記録液）が所定量以下になったこと（インクエンドになったこと）を検知するための検知電極を用いたインクエンドセンサを設け、サブタンク１５内がインクエンドになったときには対応するインクカートリッジ１０から当該色の記録液を補充供給し、インクカートリッジ１０からの補充供給動作を行ったにもかかわらず、サブタンク１５内のインクエンド状態が解消されないときには、インクカートリッジ１０もインクエンドになったものとして所要の処理を行う。本発明における「記録液がない」状態とはインクカートリッジ１０がインクエンドになった状態に対応する。また、インクエンドの状態はインクニアーエンドの状態を含むものとする。
【００２１】
一方、給紙トレイ２の用紙積載部（圧板）２１上に積載した用紙２２を給紙するための給紙部として、用紙積載部２１から用紙２２を１枚ずつ分離給送する給紙コロ２３に対向し、摩擦係数の大きな材質からなる分離パッド２４を備え、この分離パッド２４は給紙コロ２３側に付勢されている。
【００２２】
そして、この給紙部から給紙された用紙２２を記録ヘッド１４の下方側で搬送するための搬送部として、用紙２２を静電吸着して搬送するための搬送ベルト３１と、給紙部からガイド２５を介して送られる用紙２２を搬送ベルト３１との間で挟んで搬送するためのカウンタローラ３２と、略鉛直上方に送られる用紙２２を略９０°方向転換させて搬送ベルト３１上に倣わせるための搬送ガイド３３と、押さえ部材３４で搬送ベルト３１側に付勢された先端加圧コロ３５とを備えている。また、搬送ベルト３１表面を帯電させるための帯電手段である帯電ローラ３６を備えている。
【００２３】
ここで、搬送ベルト３１は、無端状ベルトであり、搬送ローラ３７とテンションローラ３８との間に掛け渡されて、図３のベルト搬送方向に周回するように構成している。帯電ローラ３６は、搬送ベルト３１の表層に接触し、搬送ベルト３１の回動に従動して回転するように配置され、加圧力として軸の両端に各２．５Ｎをかけている。また、搬送ベルト３１の裏側には、記録ヘッド１４による印写領域に対応してガイド部材４１を配置している。
【００２４】
また、記録ヘッド１４で記録された用紙２２を排紙するための排紙部として、搬送ベルト３１から用紙２２を分離するための分離爪５１と、排紙ローラ５２及び排紙コロ５３とを備え、排紙ローラ５２の下方に排紙トレイ３を備えている。ここで、排紙ローラ５２と排紙コロ５３との間から排紙トレイ３までの高さは排紙トレイ３にストックできる量を多くするためにある程度高くしている。
【００２５】
また、装置本体１の背面部には両面給紙ユニット６１が着脱自在に装着されている。この両面給紙ユニット６１は搬送ベルト３１の逆方向回転で戻される用紙２２を取り込んで反転させて再度カウンタローラ３２と搬送ベルト１７との間に給紙する。また、この両面給紙ユニット６１の上面には手差し給紙部６２を設けている。
【００２６】
さらに、図３に示すように、キャリッジ１３の走査方向の一方の非印字領域には、記録ヘッド１４のノズルの状態を維持し、回復するための信頼性維持手段である維持回復機構７１を配置し、他方の非印字領域には空吐出受け部材８１を配置している。維持回復機構７１には、記録ヘッド１４のノズル面をキャピングするためのキャッピング手段であるキャップ部材７２ａ、７２ｂ、７２ｃ、７２ｄと、ノズル面をワイピングするためのワイピング手段であるワイパーブレード７３などを備えている。
【００２７】
そして、この維持回復機構７１の下側には、維持回復機構７１による維持、回復動作によって生じる廃インクの貯蔵手段である廃液タンク９（図２参照）を配設し、この廃液タンク９の入口部に吸引ポンプのチューブの排出側を臨ませている。この例では、廃液タンク９はインクカートリッジカバー８を開状態とすることにより、全面から取り外すことができるようにしている。
【００２８】
そして、本例に係るインクジェット記録装置には取扱説明書等の冊子等を保持する冊子保持部材を配置している。図４は実施例に係る画像形成装置における冊子保持部材の取付部を下方から見た斜視図、図５は実施例に係る画像形成装置の斜視図、図６は実施例に係る画像形成装置に冊子を配置した状態を示す斜視図である。
【００２９】
本例では、インクジェット記録装置の装置本体１の左側部には段差部１１０を形成して、冊子保持部材１２０を配置している。即ち、装置本体１の左側面部のうち奥側に位置する奥側面部１１１は、手前側に位置する手前側面部１１２より寸法ｄだけ外側に位置するように形成され、奥側面部１１１と手前側面部１１２との間には張出面部１１３が形成され段差部１１０を構成している。
【００３０】
また、冊子保持部材１２０は、全体略Ｌ字形状で、装置本体１の手前側面部１１２の下方から突出配置できる突出部１２１と、この突出部１２１の先端から上側に向け立設配置される立設部１２２とで構成されている。ここで、冊子保持部材１２０を手前側面部１１２に取り付けた状態で突出部１２１の手前側面部１１２からの突出寸法Ｄは前記寸法ｄ以下としている。また、本例では、冊子保持部材１２０は、弾力製のある合成樹脂で一体に形成されており、手前側面部１１２の下部に形成された取付部１１４に挿入され、係合爪等公知の係止機構で固定される。
【００３１】
従って本実施例に係るインクジェット記録装置は、図６に示すように、装置本体１に冊子保持部材１２０を取り付けた状態で冊子保持部材１２０の立設部側面１２２と装置本体１の手前側面部１１２との間に冊子１３０等を配置することができる。このとき、冊子保持部材１２０は、奥側面部１１１より内側に配置されるので、装置本体１の奥側面部１１１を壁などに隙間無く寄せて設置できインクジェット記録装置の設置スペースを小さいものとすることができる。また、装置本体１からの冊子保持部材１２０が突出しないので、冊子保持部材１２０が破損することを防止できる他、冊子１３０を前面から容易に視認でき、冊子１３０の取り出し、収納も容易となる。
【００３２】
尚、前記例では、冊子保持部材は、左側に配置するものとして説明したが、冊子保持部材は、左右いずれに配置してもよい。
【符号の説明】
【００３３】
１  装置本体
２  給紙トレイ
３  排紙トレイ
４  前カバー
６  カートリッジ装填部
７  操作部
８  インクカートリッジカバー
９  廃液タンク
１０  インクカートリッジ
１１  ガイドロッド
１２  ステー
１３  キャリッジ
１４  記録ヘッド
１４ｙ、１４ｍ、１４ｃ、１４ｋ  液体吐出ヘッド
１５  サブタンク
１６  インク供給チューブ
１７  搬送ベルト
２１  用紙積載部（圧板）
２２  用紙
２３  給紙コロ
２４  分離パッド
２５  ガイド
３１  搬送ベルト
３２  カウンタローラ
３３  搬送ガイド
３４  押さえ部材
３５  先端加圧コロ
３６  帯電ローラ
３７  搬送ローラ
３８  テンションローラ
４１  ガイド部材
５１  分離爪
５２  排紙ローラ
５３  排紙コロ
６１  両面給紙ユニット
６２  給紙部
７１  維持回復機構
７２ａ、７２ｂ、７２ｃ、７２ｄ  キャップ部材
７３  ワイパーブレード
８１  空吐出受け部材
１１０  段差部
１１１  奥側面部
１１２  手前側面部
１１３  張出面部
１１４  取付部
１２０  冊子保持部材
１２１  突出部
１２２  立設部側面
１３０  冊子
【先行技術文献】
【特許文献】
【００３４】
【特許文献１】特開２００１−３８９８５号公報
【特許文献２】特許３９８０９６３号公報
【図１】
2010260282.tif 000003
【図２】
2010260282.tif 000004
【図３】
2010260282.tif 000005
【図４】
2010260282.tif 000006
【図５】
2010260282.tif 000007
【図６】
2010260282.tif 000008